(57)【特許請求の範囲】
【請求項１】
積出しの形態で配置された、オフショアユニットと運搬船との間の流体の移送のための炭化水素移送構成体であって、
少なくとも１つの移送ホースと、１つのガスリターンホースとを具備し、
前記少なくとも１つの移送ホースの端部は、前記オフショアユニットと前記運搬船との間の前記移送ホースの運搬を果す浮遊式多機能ユニットに接続され、
前記浮遊式多機能ユニットは、水から持ち上げられ、水位よりも上の固定位置に保持されることができ、また、
前記浮遊式多機能ユニットには、前記移送ホースの端部と前記運搬船のマニホルドとの間の流体接続を形成するための接続手段と、前記接続手段から所定の距離に配置された、前記少なくとも１つの移送ホースのための緊急分離手段とが設けられ、
前記浮遊式多機能ユニットには、
各々が前記移送ホースの端部と接続された複数の浮力モジュールと、
前記移送ホースの端部と前記運搬船のマニホルドとの間の距離にかかる可撓性のジャンパホースと、
前記ジャンパホースに接続されたスプール要素と、
前記移送ホースの端部の近くの緊急分離手段とが設けられている炭化水素移送構成体。
【請求項２】
２つの移送ホースの端部が、前記浮遊式多機能ユニットに接続される請求項１の炭化水素移送構成体。
【請求項３】
前記ガスリターンホースの端部は、前記浮遊式多機能ユニットに接続される請求項１又は２の炭化水素移送構成体。
【請求項４】
２つの浮遊式多機能ユニットが使用され、各々が、前記運搬船の側部でマニホルドに接続可能である請求項１又は２の炭化水素移送構成体。
【請求項５】
前記ガスリターンホースは、前記運搬船の一方の側部でミドシップマニホルドに接続され、また、前記浮遊式多機能ユニットは、前記運搬船の他方の側部でミドシップマニホルドに接続される請求項３の炭化水素移送構成体。
【請求項６】
一時的な流体接続が、前記浮遊式多機能ユニットのところで前記２つの移送ホースの端部の間に形成され、前記流体接続は、冷却流体をポンピングすることによって、互いに連結された前記２つの移送ホースを予冷するための閉ループを形成するためと、前記運搬船からの緊急分離の場合に前記２つの移送ホースから液化ガスをパージするためとの少なくとも一方のために形成される請求項２の炭化水素移送構成体。
【請求項７】
前記可撓性のジャンパホースには、前記ジャンパホースの端部の位置が、前記浮遊式多機能ユニットに配置されたケーブル及びウインチを介して操作されることができるように、調節可能な曲げ制限体が設けられている請求項１ないし６のいずれか１の炭化水素移送構成体。
【請求項８】
前記浮遊式多機能ユニットには、前記運搬船のマニホルドのフランジに向かって前記ジャンパホースをガイドする液圧系が設けられており、これにより、運搬船とマニホルドとの少なくとも一方のタイプに関して前記マニホルドの外囲体の高さを収容することが可能である請求項１ないし７のいずれか１の炭化水素移送構成体。
【請求項９】
前記液圧系には、前記浮遊式多機能ユニットと、前記運搬船と、前記オフショアユニットとの少なくとも１つに位置された動力供給システムが設けられている請求項８の炭化水素移送構成体。
【請求項１０】
前記運搬船の一方の側部で前記マニホルドに接続される２つの移送ホースは、ＬＮＧの移送のためのホースであり、また、前記運搬船の他方の側部で前記マニホルドに接続される１つのホースは、ガスリターンホースである請求項１ないし９のいずれか１の炭化水素移送構成体。
【請求項１１】
請求項１ないし１０のいずれか１の炭化水素移送構成体で使用するための浮遊式多機能ユニットであって、
この浮遊式多機能ユニットには、浮遊しているとき浮力を与え、かつ、浮遊式多機能ユニットが水から持ち上げられて前記運搬船とプロセス船舶との少なくとも一方に接続されたときにフェンダとして使用される浮力モジュールが設けられている浮遊式多機能ユニット。
【請求項１２】
前記浮力モジュールは、浮遊式多機能ユニットが水から持ち上げられたときに前記運搬船の船体又はプロセス船舶の船体に対する摩擦を減少させるように、円筒形状の回転可能なホイールである請求項１１の浮遊式多機能ユニット。
【請求項１３】
タンデム形態で配置された、ＬＮＧプロセス船舶とＬＮＧ運搬船との間に、極低温流体のための移送構成体を設置する方法であって、
前記移送構成体は、少なくとも１つの極低温移送ホースと、ガスリターンホースとを具備し、
前記少なくとも１つの極低温移送ホースの端部は、前記プロセス船舶と前記ＬＮＧ運搬船との間の前記極低温移送ホースの運搬を果す浮遊式多機能ユニットに接続され、
この方法は、
ａ）  前記浮遊式多機能ユニットを前記ＬＮＧ運搬船のミドシップマニホルドの近くに移動させる工程と、
ｂ）  前記浮遊式多機能ユニットを、前記ＬＮＧ運搬船の船首と船尾との少なくとも一方の係留索のウインチに接続される少なくとも１つのケーブルに接続して、水位よりも上の所定の高さまで前記浮遊式多機能ユニットを持ち上げる工程と、
ｃ）  前記ＬＮＧ運搬船の固定点に接続された係留鎖に前記浮遊式多機能ユニットを懸吊することによって、持ち上げられた前記浮遊式多機能ユニットを固定する工程と、
ｄ）  可撓性のジャンパホースを介して、前記浮遊式多機能ユニットへの前記極低温移送ホースの端部とマニホルドとの間の流体接続を形成する工程とを具備する方法。
【発明の詳細な説明】
【技術分野】
【０００１】
本発明は、プロセス船舶（process vessel）と、（ブイ、プラットフォーム、運搬船（carrier）のような）オフショアユニット（offshore unit）との間の移送ホースの運搬を果す浮遊式多機能ユニットに関する。
【０００２】
本発明はまた、積出しの形態（offloading configuration）で配置された、プロセス船舶と構成ユニットとの間の（ＬＮＧ、ＬＰＧ又は液化ＣＯ２のような）液化ガスのような流体の移送のための炭化水素移送構成体であって、少なくとも１つの移送ホースとガスリターンホースとを具備し、前記少なくとも１つの移送ホースの端部は、プロセス船舶とオフショアユニットとの間の移送ホースの運搬を果す浮遊式多機能ユニットに接続される、炭化水素移送構成体に関する。
【０００３】
本発明はまた、浮遊式多機能ユニットを使用して２つのオフショアユニット間に（液化ガスのような）流体の移送構成体を設置する方法に関する。
【背景技術】
【０００４】
天然ガスの産出及び液化のそばのオフショア（沖合）での液化ガスの生産は、複数の浮遊式ユニット又は海底に基礎を置いた（seabed based）複数のオフショアユニットの間の、あるいは、海底に基礎を置いた１つのオフショアユニットと１つの浮遊式ユニットとの間の液化ガスの移送を必要とする。２つのユニット間のオフショア移送システムに関する概念は、通常、重いリフティングクレーン、並びに水力学、位置制御、船の動きの補正及び多くの部品を含む複雑なシステムの使用を必要とする。また、互いに近接し離間して配置されたさまざまなダクト間の衝突を回避することが重要である。これは、特に、−１６３℃の温度で維持されなければならないＬＮＧに適した船移送システムに対する現在の船の場合、そうである。それ故、現在の概念は、非常に重く、高価であり、オペレータにフレンドリでなく、維持するのが困難であり、故障しがちである。全ての既存の移送の概念は、厳しい環境及び荒い海面の状態で使用されるのに理想的でない。
【発明の概要】
【０００５】
この特許出願では、好ましいオフショア移送システムの形態は、２つの船舶間のタンデム（tandem）積出しの形態である。タンデム積出しの形態では、運搬船は、プロセス船舶又はＦＰＳＯ（浮遊式生産貯蔵及び積出しユニット）の後ろに、それ自体直線的に並んで位置決めされる。ＦＰＳＯがウェザーベーニングである（weathervane）ので、この位置は、流れに対して直線的に並んでいる。ＦＰＳＯと運搬船との間では、ホーサ綱が、ＦＰＳＯから所定の距離に運搬船を保持している。運搬船がＦＰＳＯと衝突しないことを確実にするために、バックの信頼性（back trust）が運搬船によって与えられるべきである。
【０００６】
タンデム積出しの形態では、少なくとも１つの積出しホースが海へと下げられることを可能にし、かつエンドフィッティングの位置に浮力を与える手段を有することが必要とされ、また、運搬船に近接して（１又は複数の）積出しホースを運搬する手段を有することも必要とされる。さらに、少なくとも１つのホース（浮遊型又は潜水型）が、水位から所定の高さまで、例えば、流体配管マニホルドに接続される船舶のデッキまで持ち上げられる必要があり、この高さは、水位よりも１０〜３０ｍ上でありうる。局所的なクレーンとウインチとの少なくとも一方の使用は、持ち上げられる（１又は複数の）ホースの全重量が大きすぎるときは必ずしも可能ではない。なぜならば、リフティング能力が制限されているか、これらはデッキ上の所望の／必要な場所に位置されていないからである。さらに、既存のリフティングシステムに搭載された運搬船にさらなるリフティング設備を設置する、すなわち変更を加えることは、ホースに接続されなければならない各運搬船にそれを行う必要があるので、好ましい解決策ではない。
【０００７】
運搬船にさらなる変更をするのを回避する解決策は、標準的な運搬船に対して使用されることができるので、効果的である。
【０００８】
本出願人により商標クライオライド（CryoRide）の下に製造される、提案されるシステムは、２つのオフショアユニット間の最も容易で、最も速く、最も安価な積出しの接続を可能にするキーシステムである。
【０００９】
この特許出願では、用語「移送ホース」は、炭化水素の、特に極低温流体（−１６３℃）の移送、また、ＬＰＧ及び液化ＣＯ２のような液化ガスの移送に適したあらゆるタイプの移送ホースを示すために使用される。
【００１０】
それ故、本発明の目的は、  
移送ホースのエンドフィッティング及びこの積出し手順のために必要とされる構成要素を保持し、かつ、運搬船のマニホルドとエンドフィッティングとの間の相対移動をなくす固定点として、  
水中で合体される移送ホースのエンドフィッティングと構成要素とのための浮遊構造体として、及び、  
運搬船のミドシップマニホルドの高さのところにもたらされるエンドフィッティングと構成要素とのためのリフティング装置として  
機能する多機能ユニットを提供することである。
【００１１】
本発明はまた、簡略化され、時間消費が少なく、あまり高価でない船体中央の（ミドシップ）積出しの形態の炭化水素移送方法を提供する。
【００１２】
好ましい解決策では、多機能ユニットは、さまざまな運搬船のさまざまなマニホルドにこの多機能ユニットを接続するために必要とされるさまざまな外囲体（envelope）を扱うことが可能である。多機能ユニットはまた、緊急の場合に停止され分離されることが可能であり、また、それ自体が、ＦＰＳＯ又はオフショアユニット、及び運搬船の貯蔵タンクへのライン中に残っている炭化水素をパージすることを可能にする。
【００１３】
本発明の好ましい実施の形態が、添付図面を参照して説明される。
【図面の簡単な説明】
【００１４】
【図１ａ】図１ａは、２つの船舶間の移送ホースの可能な形態を示している。
【図１ｂ】図１ｂは、２つの船舶間の移送ホースの可能な形態を示している。
【図１ｃ】図１ｃは、２つの船舶間の移送ホースの可能な形態を示している。
【図２ａ】図２ａは、本発明の２つの実施の形態の一方に係る多機能ユニット、すなわちクライオライド（商標）を示している。
【図２ｂ】図２ｂは、本発明の２つの実施の形態の他方に係る多機能ユニット、すなわちクライオライドを示している。
【図２ｃ】図２ｃは、図２ｂに示される実施の形態を示す上面図である。
【図３ａ】図３ａは、ＬＮＧプロセス船舶とＬＮＧＣとの間の複数の浮遊ホースを引き出して、運搬して、持ち上げて接続する一連の工程を示す図である。
【図３ｂ】図３ｂは、ＬＮＧプロセス船舶とＬＮＧＣとの間の複数の浮遊ホースを引き出して、運搬して、持ち上げて接続する一連の工程を示す図である。
【図３ｃ】図３ｃは、ＬＮＧプロセス船舶とＬＮＧＣとの間の複数の浮遊ホースを引き出して、運搬して、持ち上げて接続する一連の工程を示す図である。
【図３ｄ】図３ｄは、ＬＮＧプロセス船舶とＬＮＧＣとの間の複数の浮遊ホースを引き出して、運搬して、持ち上げて接続する一連の工程を示す図である。
【図３ｅ】図３ｅは、ＬＮＧプロセス船舶とＬＮＧＣとの間の複数の浮遊ホースを引き出して、運搬して、持ち上げて接続する一連の工程を示す図である。
【図３ｆ】図３ｆは、ＬＮＧプロセス船舶とＬＮＧＣとの間の複数の浮遊ホースを引き出して、運搬して、持ち上げて接続する一連の工程を示す図である。
【図３ｇ】図３ｇは、ＬＮＧプロセス船舶とＬＮＧＣとの間の複数の浮遊ホースを引き出して、運搬して、持ち上げて接続する一連の工程を示す図である。
【図３ｈ】図３ｈは、ＬＮＧプロセス船舶とＬＮＧＣとの間の複数の浮遊ホースを引き出して、運搬して、持ち上げて接続する一連の工程を示す図である。
【図３ｉ】図３ｉは、ＬＮＧプロセス船舶とＬＮＧＣとの間の複数の浮遊ホースを引き出して、運搬して、持ち上げて接続する一連の工程を示す図である。
【図３ｊ】図３ｊは、ＬＮＧプロセス船舶とＬＮＧＣとの間の複数の浮遊ホースを引き出して、運搬して、持ち上げて接続する一連の工程を示す図である。
【図３ｋ】図３ｋは、ＬＮＧプロセス船舶とＬＮＧＣとの間の複数の浮遊ホースを引き出して、運搬して、持ち上げて接続する一連の工程を示す図である。
【図４】図４は、本発明に係る閉ループを形成するために複数のホースが互いにどのように連結されるかを示している。
【図５ａ】図５ａは、曲げ制限要素を備えた可撓性のジャンパホースが、多機能ユニットの小さな補助ウインチに接続されたケーブルを用いてマニホルドに対してどのように位置決めされるかを示している。
【図５ｂ】図５ｂは、曲げ制限要素を備えた可撓性のジャンパホースが、多機能ユニットの小さな補助ウインチに接続されたケーブルを用いてマニホルドに対してどのように位置決めされるかを示している。
【図５ｃ】図５ｃは、曲げ制限要素を備えた可撓性のジャンパホースが、多機能ユニットの小さな補助ウインチに接続されたケーブルを用いてマニホルドに対してどのように位置決めされるかを示している。
【図６ａ】図６ａは、図２ｃの実施の形態において、クライオライドが運搬船のマニホルドから分離されるときの一連の工程を示している。
【図６ｂ】図６ｂは、図２ｃの実施の形態において、クライオライドが運搬船のマニホルドから分離されるときの一連の工程を示している。
【図６ｃ】図６ｃは、図２ｃの実施の形態において、クライオライドが運搬船のマニホルドから分離されるときの一連の工程を示している。
【図６ｄ】図６ｄは、図２ｃの実施の形態において、クライオライドが運搬船のマニホルドから分離されるときの一連の工程を示している。
【図６ｅ】図６ｅは、図２ｃの実施の形態において、クライオライドが運搬船のマニホルドから分離されるときの一連の工程を示している。
【図７ａ】図７ａは、本発明に係る他の実施形態の上面図である。
【図７ｂ】図７ｂは、非専用ＬＮＧ運搬船に予め設置された移動式リフティング手段を使用して、多機能ユニットを介したＬＮＧプロセス船舶とＬＮＧ運搬船との間の移送ホースの接続を示している。
【発明を実施するための形態】
【００１５】
選ばれたいくつかの実施の形態では、ＬＮＧ運搬船に対してタンデム形態のＬＮＧ−ＦＰＳＯがある。移送ホースは、ＬＮＧの移送に適した極低温移送ホースである。しかし、本発明は、任意のタイプのオフショアユニット間のいかなるタイプのオフショア移送システムにも適用可能であることが注目されなければならない。
【００１６】
図１ａ、図１ｂ並びに図１ｃは、２つの船舶間のホースのさまざまな可能な形態を示している。
【００１７】
ＬＮＧ  ＦＰＳＯ又はＦＳＲＵ（浮遊式貯蔵及び再ガスユニット）、すなわちオフショアユニット１が多点（spread）係留、又はウェザーベーニング（weathervaning）係留されているＬＮＧの積込み又は積出しの状況では、ＬＮＧ運搬船２は、ＬＮＧの移送中、所定の安全距離で配置されることが好ましい。オフショアユニット１が海底に基礎を置いた形態では、ＬＮＧ運搬船２は、ユニット１により近いことができる。
【００１８】
図１ａ並びに図１ｂに示される実施の形態は、ＬＮＧプロセス船舶１とＬＮＧ運搬船２との間に、沖合の船体中央部の全体の、タンデム形態の、極低温流体移送構成体を示している。この構成体には、少なくとも１つの極低温移送ホース３と、１つのガスリターンライン４とが設けられており、これは、多点係留又はタレット係留された船舶と、炭化水素移送運搬船との間の通常のタンデム積出しを含むが、オフショアＬＮＧ移送の状況に対して最適化されている。この沖合での積出しの形態は、多点係留又はタレット係留されたガス液化艀船、あるいは、多点係留又はタレット係留されたＬＮＧ  ＦＰＳＯ１を含み、通常のＬＮＧ運搬船２が、少なくとも１つの特別な、特に長い（１又は複数の）ホーサ５によってＬＮＧ  ＦＰＳＯ１に接続され、また、ＬＮＧは、比較的長く浮遊式の、空中用（aerial）又は潜水用（submerged）の極低温移送システムによって２つの船舶間を移送される。この極低温移送システムは、少なくとも１つの極低温ホース３又は極低温硬質パイプを含むことができる。冗長性又は安定性の理由から、２つの浮遊船舶１、２の間に少なくとも１つのこれらの特別なホーサ５を設けることが必要である。本発明に係る特別なホーサ５は、全長５０〜３００ｍであることができ、かくして、少なくとも９０ｍの安全距離でＬＮＧタンカ２を維持する。少なくとも１つの、より好ましくは複数のタグボートが、運搬船２を曳航し、この運搬船２を多点係留されたＬＮＧ  ＦＰＳＯ／ＦＳＲＵ１から離間して維持し、また、ＬＮＧの積込み又は積出し中に正確な船首方位（heading）を確実にする。このようにして、運搬船２がＬＮＧ  ＦＰＳＯ又はＦＳＲＵ１の９０度のゾーン内にとどまることができる状況でＬＮＧを積み込む又は積み出すことが可能である。
【００１９】
図１ａでは、３つのホース３、４が、ＬＮＧ運搬船２のミドシップマニホルドの同じ側に向かって延びていることが明確に示される。２つの極低温移送ホース３と１つのガスリターンライン４とがある。
【００２０】
図１ｂでは、２つの極低温移送ホース３が、運搬船２の左舷のミドシップマニホルドに向かって延びており、また、右舷のミドシップマニホルドには、１つのガスリターンライン４が、ＬＮＧ−ＦＰＳＯ１に戻るように延びていることが明確に示される。
【００２１】
図１ｃでは、その形態は、ウェザーベーニングでなく（non weathervaning）、ＬＮＧＣ２とオフショアユニット１との間にあることを除いて、図１ａに示すものと同様である。
【００２２】
本発明に係る可能な形態は、これらに図示される形態に限定されるべきではなく、  
２つの極低温移送ホースが一方の側にあり、１つのガスリターンライン及び１つの極低温移送ホースがＬＮＧＣの他方の側にある形態、  
３つの極低温移送ホースが一方の側にあり、１つのガスリターンライン及び１つの極低温移送ホースがＬＮＧＣの他方の側にある形態、  
一方の側に３つの極低温移送ホース及び１つのガスリターンラインがある形態、  
マニホルドを接続して、マニホルドの２つの入口と流体接続をなすように、端部に仕切要素を備えた１つの極低温移送ホースがある形態、  
のような、あらゆるタイプの可能な形態を含むことができる。
【００２３】
図２ａないし図２ｃは、多機能ユニット６、すなわち本発明に係るクライオライド（CryoRide）（商標）を示している。このクライオライドのデザインは、モジュールで容易に適用可能な概念を用いている。オペレータ、位置及びプロジェクトの必要性に基づいて、さまざまなラインの形態が選択されることができる。クライオライドの主機能は、極低温ホース３のエンドフィッティング７を保持する固定点として機能することであり、この積出しの手順に必要とされる極低温構成要素を必要とする。また、エンドフィッティング７と前記構成要素とが水中で合体されたとき、浮遊構造体として機能する必要がある。クライオライドの第３の主機能は、エンドフィッティング７と極低温構成要素とを、ＬＮＧ運搬船２のミドシップマニホルド８の高さまで持ち上げることである。
【００２４】
他の主機能は、緊急の場合にシステムが停止し分離することができるべきことであり、また、最後の主機能は、システムそれ自体が、移送ホース３中に残っているＬＮＧを、オフショアユニット１及びＬＮＧ運搬船２の貯蔵タンクにパージさせるということである。
【００２５】
クライオライドの好ましいベース構造体は、浮力を与える管状構造体９であり、極低温設備の既知のアセンブリ技術である。システムにさらなる浮力を与えるために、低加圧ホイール１０が、クライオライド構造体に係合されている。これらホイール１０はまた、ＬＮＧ運搬船の船体又はオフショアユニットの船体と衝突する場合にフェンダとして機能し、また、これらホイールは、ホイール１０の軸芯の複合ベアリング構成体によって与えられる回転によって、運搬船の船体に対するリフティングの間、摩擦係数を減少させるように使用される。
【００２６】
図２ｃでは、３つの硬質スプール要素１１が、クライオライドの構造体に固定されていることが明確に示される。この実施の形態では、３つの硬質スプール要素が示されており、少なくとも２つのスプール要素が、２つの移送ライン、すなわちホースの間にループを形成するために必要とされる。これらスプール要素の主機能は、積出しホースによって引き起こされた動荷重をパイプ構造体に伝達することである。これらスプール要素１１はまた、空中ジャンパホース１２のための接合部としても機能する。これらスプール要素１１は、構造上互いに連結されるが、２つの極低温移送ホース、すなわち輸送ライン３は、図４に示されるようにクロスフロー接続されている。また、いくつかの場合には、ガスリターンラインが極低温移送ホースと同等のデザインを有し、従って極低温流体に耐えることができるとき、積出しを開始する前に、ホース３の予冷のための１つの極低温移送ホースと流体接続することができることにも言及されるべきである。
【００２７】
断熱層が、スプール要素１１からクライオライド構造体の台（rest）への熱伝導を防いでいる。スプール要素１１の一端は、緊急応答システム（ＥＲＳ）１３及び極低温積出しホース３に接続され、また、他端は、ジャンパホース１２に接続されている。ジャンパホースは、通常の外面保護体を備えた、軽量で、可撓性で、非断熱性の極低温ホースである。リフティングフレーム１４は、手順に対処するために、３つのジャンパホース１２を一緒に接続しており、また、貯蔵中、これらホースをロックする。ジャンパホース１２の全長及び可撓性は、さまざまな非専用（non-dedicated）ＬＮＧ運搬船のマニホルドの構成体に極低温移送ホース３、４を接続することが可能な、最も広い動作をする外囲体をクライオライドに与えるように決定される。
【００２８】
ＥＲＳ１３は、構造体に位置された液圧式アキュムレータによって液圧により駆動され、これらアキュムレータは、オフショアユニットに各積出しの間に再び積み込まれる。
【００２９】
図２ｃは、他の実施の形態を示しており、この実施の形態では、クライオライドには、３つの移送ホース３、４を固定するために管状構造体９に装着された３つの極低温スプール要素１１が設けられている。これらホースとこれらスプール要素との間には、緊急解放システム（ＥＲＳ）１３が、緊急分離中にホースに必要な分離を与える。
【００３０】
ＥＲＳと移送ホースのフランジ／エンドフィッティングとの間では、３つのさらなるスプール要素が、移送輸送ラインを連結している。これは、運搬船と分離された後、移送ホースをパージすることを可能にする。
【００３１】
３つの空中ジャンパホース１２が、極低温スプール要素の他方の側に装着されている。これらは、運搬船のマニホルドのフランジに向かって空中ジャンパホースをガイドする液圧系ＨＳによって支持され、そして、運搬船とマニホルドとの少なくとも一方のタイプに対して、マニホルドの外囲体の高さを収容することが可能である。この系は、運搬船のデッキ上のいかなる設備又は構造体をも妨げることなく、最終的な接続を果すように設計されている。空中ジャンパホース１２の支持システムは、２つの液圧シリンダ２０によって駆動される。
【００３２】
空中ジャンパホース１２には、最小曲げ半径を超過しないように、曲げ制限体が装備されている。空中ジャンパホース１２のエンドフィッティングに、３つの手動ＱＣ／ＤＣが、運搬船と最終的な接続を果すように係合される。これらＱＣ／ＤＣは、海水及び水分の侵入を避けるために、運搬中、閉止フランジされている（blind flanged）。
【００３３】
図３ａないし図３ｊは、ＬＮＧプロセス船舶とＬＮＧＣとの間の複数の浮遊ホースの引き出し、運搬、持ち上げ及び接続の一連の工程を示している。クライオライドは、供給船舶又は設備船舶上に向かって、ＦＰＳＯへ運搬される。ＦＰＳＯの船尾でホースリールに格納された浮遊ホースは、海水面に下げられて、設置／供給船舶の規定領域（lay down area）に持ち上げられる。ホースとクライオライドとは、船舶上で互いに接続され、そして、水中に落下される。そして、クライオライドは、ＦＰＳＯのその収容位置に戻るように牽引されることができる。
【００３４】
クライオライドは、液圧式Ａフレームシステム１４に取着されたデッキに格納されている。これは、液圧式アキュムレータのメンテナンス及び再加圧のためのクライオライドへのよいアクセスを与えるという効果を奏する。Ａフレーム１４は、ＬＮＧ−ＦＰＳＯ１の船尾で３つのホースリール１５の後ろに位置されており、ここに、極低温ホース３が格納される。ホースのエンドフィッティング７は、クライオライドのホースの接合部に永久的にボルト締めされている。外側の２つのホースリールには、クライオライドに対する間隔制限に合わせるように、角度が付けられている。この間隔制限は、国際基準（冷却液化天然ガス運搬船用のマニホルドのためのＳＩＧＴＴＯ／ＯＣＩＭＦ推奨基準）に従っている。
【００３５】
図３ａは、クライオライドを下げる、すなわち進水させることを示している。クライオライドは、Ａフレーム１４によって船外にはじかれる。クライオライドがＡフレーム１４から分離された後、ウインチ１６がこのクライオライドに取着されて、図３ｂ並びに図３ｃに示されるように、クライオライドを海へと下げる。この動作と平行して、ホースリール１５が、リールに取着されたターンテーブルを駆動している電気モータ及びピニオンによって解かれる。
【００３６】
他の実施の形態（図示されない）では、送り出し（launching）プラットフォームとして機能する、ＦＰＳＯの船体に組み込まれたスロープ（ramp）がある。ホースリールは、送り出しプラットフォームよりも上に位置され、また、ホースは、クライオライドと予め接続されている。ホースリールのモータにより、クライオライドは、水に進水される、すなわち、送り出しプラットフォーム上で後方にたぐり寄せられる。これは、アキュムレータの再加圧のための、及び系のメンテナンスのための位置でもある。この実施の形態では、ホースリールは、クライオライドの送り出し及び引き込みを操作する。
【００３７】
図３ｄ並びに図３ｅでは、サポート船舶（support vessel）１８が、フックでクライオライドの引張バー又は突出部（lug）に引張ロープ１７を接続し、クライオライドを極低温浮遊ホース３に沿ってＬＮＧＣ２に牽引することが明確に示される。ホースリール１５は、（タンデム形態での最前のホースに対して比較的速い）さまざまな速度でホース３、４を解放する必要がある。
【００３８】
次の工程は、クライオライドの持ち上げの準備である。クライオライドユニットは、クライオライドのフレームに形成された枢動シーブによって連結された、全長８５ｍの合成又は鋼ワイヤロープが格納された中心シーブブロックを有する。このシーブブロックでは、シャックルが、ミドシップマニホルドに関してもまた中心に位置された船舶の拠点（strong point）と接続を果す。
【００３９】
図３ｆは、シーブに対するシャックルが、マニホルドクレーン１９で取り入れられて、マニホルドのデッキに対して中央のＬＮＧタンカのデッキの拠点に接続されることを明確に示している。そして、シーブブロックが、マニホルドクレーン１９を用いてデッキの高さまで持ち上げられて、前記突出部に接続される。シーブブロックの引張負荷索具（pulling load line）は、船尾か船首に位置された最も利便的な係留ウインチ２０に向かって伝送される（route）。デッキにほとんど障害がないところでは、ワイヤロープが伝送されるべきである。
【００４０】
そして、持ち上げが可能であり、図３ｇに示されるように、ＬＮＧ運搬船の船首か船尾の領域の近くに配置された係留ウインチ２０が、クライオライドに接続されることができ、デッキの高さの約１ｍ下まで、船体にクライオライドを持ち上げる。この持ち上げプロセス中、マニホルドクレーンは、船舶の全長に沿って水平方向に多機能ユニットをガイドするか移動させるかの少なくとも一方のために使用されることができ、この結果、その端部では、多機能ユニットは、マニホルドの近くの接続外囲体内に配置される。
【００４１】
他のリフティングの実施の形態は、ＬＮＧキャリア２の船尾及び船首に２つの係留ウインチを使用することである。これは、「２つのポイントリフティング」の解決策である。
【００４２】
合成ロープの全長及び補助索（messenger line）を備えた適切なリフティング設備もまた、リフティング手順をより簡単にするために、クライオライドに搭載されて係合される。
【００４３】
係船鎖（snubbing chain）は、クライオライドを固定するために、ＬＮＧ運搬船のデッキ上の利用可能な突出部に接続される。
【００４４】
図３ｈ並びに図３ｊは、ジャンパホースがリフティング中にどのようにひっくり返されて（方向転換されて）マニホルドの位置に配置されるかを示している。マニホルドクレーン１９は、その回転リフティング点で、可撓性のジャンパホース１２のリフティングフレームに接続される。閉止フランジは、なくされることができ、手動又は液圧式ＱＣＤＣ（既にジャンパホース１２に接続されている）が、マニホルドのフランジに接続される。
【００４５】
他の実施の形態は、ジャンパホース１２の曲げを制御するために、ジャンパホース１２内に配置されたケーブルを有する。このような１平面での曲げは、図３ｊに示されるように、ストッパのおかげで可能にされ、制限される。クライオライドに設置された小さなウインチは、マニホルドクレーン１９の使用を必要とすることなく、ジャンパホース１２を所望のモーメントで所望の方向に曲げさせることができる。
【００４６】
図３ｋに示されるように、極低温移送ホースは、接続され、固定されて、図４に示され説明されるように、通常のＬＮＧの輸送が、冷却で始まることができる。
【００４７】
積出しが終わったとき、ジャンパホースの分離は、以下のように行われる。冷却後、ジャンパホース１２は、分離されて、ＬＮＧ運搬船２のマニホルドの領域のクレーン１９を使用して、クライオライドに戻すように格納される。クライオライドは、海面に戻るように下げられて、サポート船舶１８が、クライオライドに索具設備を戻すように格納する。そして、サポート船舶１８は、クライオライドを後ろに牽引し、引張ケーブル１７を分離する。そして、ホースリール１５が、クライオライドをＬＮＧ−ＦＰＳＯ１に戻すようにたぐり寄せるか、Ａフレーム支持構造体１４に戻すように持ち上げられる。
【００４８】
上で述べられたように、図４は、本発明に係る閉ループを形成するために、ホースがどのように互いに連結されるかを示している。極低温ホース３がフロー接続され、かくして閉ループを形成することが明確に示される。これは、移送開始前に、極低温移送ホースが冷却されることを可能にする。実際には、互いに連結されたホース内の冷却流体は、積出し前にホースを予冷するために、ポンピングされる。
【００４９】
このような閉ループを有する他のキーポイントは、緊急の場合に、ＥＲＳ１３の上側部分及び下側部分が、ＰＥＲＣの手段によって分離されるということである。
【００５０】
トラップされたＬＮＧに対する２つの極低温移送ホース３は、スプール要素１１によって互いに連結され、ＬＮＧＣからの窒素を使用してパージされることができる。同様のスプール要素１１は、極低温移送ホース３の端部を互いに連結し、ＦＰＳＯ貯蔵タンクに残りのＬＮＧをパージするためにループを形成する。
【００５１】
図５は、互いに連結され枢動する曲げ制限要素を備えた可撓性のジャンパが、曲げ制限要素内でガイドされ、かつ多機能ユニットに少なくとも１つの小さな補助ウインチに接続されたケーブルを用いて、マニホルドに向かってどのようにもたらされることができるかを示している。一方のケーブルが引き入れられ、他方が引き出されれば、ジャンパホースの端部はひっくり返り（方向転換し）、マニホルドの端部に向かって動かされる（過度の曲げは制限される）。逆の動作では、ジャンパホースは、多機能ユニットでの収容位置に再び押しやられる。
【００５２】
図６ａないし図６ｄは、図２ｃの実施の形態において、クライオライドが運搬船２のマニホルドから分離されるときの一連の工程を示している。これらの図では、液圧系が空中ジャンパホース１２を曲げるために使用されることが明確にわかる。この実施の形態では、クライオライドにはリフティング設備が設けられており、このリフティング設備が、運搬船の船体に対してそれ自体を水から独立して（autonomously）持ち上げることを可能にすることに注目することもまた重要である。従って、特に、図１ｄ並びに図６ａないし図６ｄの実施の形態に示されるように、２つの液圧ウインチがクライオライドに装着され、２つのウインチケーブル２８が、ミドシップマニホルドの位置で、運搬船のデッキの高さで２つの拠点に接続される。この接続は、支持タグボートから取り入れられた補助索によって達成される。
【００５３】
また、水力は、支持タグボートから供給される。ホースリールのアンビリカル（umbilical）は、クライオライドの液圧系に動力を供給するためにクライオライドに接続される。持ち上げ動作の後、クライオライドは、ウインチからの水力を軽減させるために、係船鎖で固定される。
【００５４】
液圧式アンビリカルは、手動又は遠隔操作で分離され、支持タグボートに巻き取られる。液圧系に動力を供給するいくつかのオプションは、以下の通りである。  
クライオライドのＨＰＵ及びディーゼルエンジン。  
サポート船舶からのアンビリカル。  
ＬＮＧＣのミドシップマニホルドの位置から直接のアンビリカル。  
ＦＬＮＧから船体中央部へのホーサを介してクライオライドまでのアンビリカル。  
ＣＯＯＬホースによって伝送されるＦＬＮＧからのアンビリカル。
【００５５】
さらに、ガイド手段が、多機能ユニットの持ち上げのために設けられる。
【００５６】
移送ホース及びクライオライドがＦＰＳＯに格納されることができることがさらに注目されるべきである。
【００５７】
さらに、第３のホイールが、この実施の形態に与えられることが明確にわかる。この第３のホイールは、２つの主機能を有する。第３のホイールは、この第３のホイールが運搬船の船体に接近したとき、（液圧系及びジャンパ空中ホース１２のような）クライオライドの上部に位置された設備を保護することができる。さらに、第３のホイールは、水平位置から垂直位置へとより滑らかに移動することができる。
【００５８】
本発明に係る他の代わりのデザインが、図７ａに示される。よりいっそうコンパクトなデザインを得るために、特に、多機能ユニットのよりいっそうフラットなデザインを得るために、ジャンパホース１２は短くされており、ひっくり返す（方向転換する）動きはもう必要とされない。（電動スイベルのような）いくつかのスイベル２５を含む構成体は、ジャンパホースの端部と運搬船のマニホルド８との接続を可能にする。多機能ユニット６が正しい高さにあり、アクセスがより容易であるとき、ジャンパホース１２は、マニホルド８と接続される直前に、多機能ユニット６に既に設置されるか、ユニット６に接続されることができる。
【００５９】
図７ｂには、積出し前に、非専用ＬＮＧ運搬船２に予め設置される移動式リフティング手段２１が示される。図７に示される実施の形態では、リフティング手段２１は、ウインチを備えたフレームと、マニホルドの高さに依存して変更される船外距離の液圧式ピストンとを有する。サポート船舶は、リフティング手段２１をＬＮＧ運搬船２に運搬し、ここで、このリフティング手段２１が、マニホルドクレーン（図示されない）を用いて運搬船のデッキに持ち上げられる。
【００６０】
移動式リフティング手段２１は、船体に海からクライオライド６を持ち上げることを可能にし、可撓性のジャンパホース１２をマニホルドに接続するために必要とされる高さまでクライオライド６を持ち上げる。
【００６１】
リフティング手段は、移動式リフティング手段と接続されるように、専用の海固定手段（sea fastening means）を使用してデッキにボルト締めされる。
【００６２】
先の開示に照らして当業者にとって自明であるように、本発明の意図又は範囲から逸脱することなく、本発明の実施に際して多くの変更並びに修正が可能である。従って、本発明の範囲は、以下の特許請求の範囲によって規定される内容に従って解釈される。
出願当初の特許請求の範囲に記載された発明を以下に付記する。
［１］積出しの形態で配置された、オフショアユニットと運搬船との間の流体の移送のための炭化水素移送構成体であって、少なくとも１つの移送ホースと、１つのガスリターンホースとを具備し、前記少なくとも１つの移送ホースの端部は、プロセス船舶と前記運搬船との間の前記移送ホースの運搬を果す浮遊式多機能ユニットに接続され、前記浮遊式多機能ユニットは、水から持ち上げられ、水位よりも上の固定位置に保持されることができ、また、前記浮遊式多機能ユニットには、前記移送ホースの端部と前記運搬船のミドシップマニホルドとの間の流体接続を形成するための接続手段と、前記接続手段から所定の距離に配置された、前記少なくとも１つの移送ホースのための緊急分離手段とが設けられている炭化水素移送構成体。
［２］２つの移送ホースの端部が、前記浮遊式多機能ユニットに接続される［１］の炭化水素移送構成体。
［３］前記ガスリターンホースの端部は、前記浮遊式多機能ユニットに接続される［１］又は［２］の炭化水素移送構成体。
［４］２つの浮遊式多機能ユニットが使用され、各々が、前記運搬船の側部でマニホルドに接続可能である［１］又は［２］の炭化水素移送構成体。
［５］前記ガスリターンホースの端部は、分離浮遊式ユニットに接続される［１］又は［２］の炭化水素移送構成体。
［６］前記ガスリターンホースは、前記運搬船の一方の側部でミドシップマニホルドに接続され、また、前記多機能ユニットは、前記運搬船の他方の側部でミドシップマニホルドに接続される［５］の炭化水素移送構成体。
［７］前記多機能浮遊式ユニットに固定される前記ホースの数は、特定の状況及び環境で所望とされる流体移送構成体に応じて変更可能であることができる［１］ないし［６］のいずれか１の多機能ユニット。
［８］冷却流体をポンピングすることによって、互いに連結されたホースを予冷するための閉ループを形成するためと、前記運搬船からの緊急分離の場合に前記ホースから液化ガスをパージするためとの少なくとも一方のために、一時的な流体接続が、前記多機能ユニットのところで２つのホースの端部の間に形成される［１］ないし［７］のいずれか１の流体移送構成体。
［９］一時的な流体移送ループが、移送ホースと前記ガスリターンホースとの間に形成される［８］の流体移送構成体。
［１０］前記ガスリターンホースは、前記運搬船からの前記多機能ユニットの緊急分離の場合に液化ガスを移送することが可能である［１］ないし［９］のいずれか１の流体移送構成体。
［１１］前記ガスリターンホースは、−７０℃で流体を移送することが可能なＬＰＧホースである［１］ないし［８］のいずれか１の流体移送構成体。
［１２］２つの隣接しているホースが、複数の分離部材によって互いに所定の間隔に保たれる［１］ないし［１１］のいずれか１の流体移送構成体。
［１３］前記ホースは、表面浮遊ホースである［１］ないし［１２］のいずれか１の流体移送構成体。
［１４］前記多機能ユニットには、各々がホースの端部と接続された複数の浮力モジュールと、前記ホースの端部と前記ＬＮＧ運搬船のマニホルドとの間の距離にかかる可撓性のジャンパホースと、前記ジャンパホースに接続されたスプール要素と、前記ホースの端部の近くの緊急分離手段とが設けられている［１］ないし［１３］のいずれか１の流体移送構成体。
［１５］前記可撓性のジャンパホースには、前記ジャンパホースの端部の位置が、前記多機能ユニットに配置されたケーブル及びウインチを介して操作されることができるように、調節可能な曲げ制限体が設けられている［１４］の流体移送構成体。
［１６］前記多機能ユニットには、前記運搬船のマニホルドのフランジに向かって前記ジャンパホースをガイドする液圧系が設けられており、これにより、運搬船とマニホルドとの少なくとも一方のタイプに関して前記マニホルドの外囲体の高さを収容することが可能である［１４］の流体移送構成体。
［１７］前記液圧系には、前記多機能ユニットと、前記運搬船と、前記オフショアユニットとの少なくとも１つに位置された動力供給システムが設けられている［１６］の流体移送構成体。
［１８］緊急の場合には、多機能ユニットに接続された全てのホースが、これらの緊急分離手段から分離される［１］ないし［１７］のいずれか１の流体移送構成体。
［１９］緊急分離の場合には、前記プロセス船舶に向かって、互いに連結されたホース中のトラップされた液化ガスをパージするように、閉ループが、少なくとも２つのホースの間で、分離された多機能ユニットの部分に形成される［１］ないし［１８］のいずれか１の流体移送構成体。
［２０］緊急分離の場合には、前記多機能ユニットの台が前記運搬船から分離された後、閉ループが、前記運搬船の前記ミドシップマニホルドに接続されたままになっている前記多機能ユニットのスプール要素の部分を介して形成される［１］ないし［１９］のいずれか１の流体移送構成体。
［２１］前記多機能ユニットには、浮遊しているときに浮力を与え、かつ、前記ユニットが水から持ち上げられて前記運搬船とプロセス船舶との少なくとも一方に接続されたときにフェンダとして使用されるモジュールが設けられている［１］ないし［２０］のいずれか１の流体移送構成体。
［２２］前記浮力モジュールは、前記ユニットが水から持ち上げられたときに前記運搬船の船体又はプロセス船舶の船体に対する摩擦を減少させるように、円筒形状の回転可能なホイールである［１９］の多機能ユニット。
［２３］前記多機能ユニットには、遠隔制御推進エンジンが設けられている［１］ないし［２２］のいずれか１の多機能ユニット。
［２４］前記多機能ユニットには、独立リフティング手段が設けられている［１］ないし［２３］のいずれか１の多機能ユニット。
［２５］前記多機能ユニットには、非専用運搬船に予め設置される移動式リフティング手段が設けられている［１］ないし［２４］のいずれか１の多機能ユニット。
［２６］オフショアユニットと運搬船との間の積出しの形態のための浮遊式多機能ユニットであって、少なくとも１つのホースが、この浮遊式多機能ユニットに接続され、前記ユニットは、運搬船のミドシップマニホルドに接続可能であり、この多機能ユニットは、ａ）移送ホースの端部及び流体移送接続のために必要とされる特定の構成要素のための浮遊支持及び固定点として、及び、ｂ）移送ホースの端部及び運搬船の前記ミドシップマニホルドの高さの近く、又はその高さのところにもたらされる特定の構成要素のためのリフティング装置として機能する浮遊式多機能ユニット。
［２７］タンデム形態で配置された、ＬＮＧプロセス船舶とＬＮＧ運搬船との間に、極低温流体のための移送構成体を設置する方法であって、前記移送構成体は、少なくとも１つの極低温移送ホースと、ガスリターンホースとを具備し、前記少なくとも１つの移送ホースの端部は、前記プロセス船舶と前記ＬＮＧ運搬船との間の前記移送ホースの運搬を果す浮遊式多機能ユニットに接続され、この方法は、ａ）前記浮遊式多機能ユニットを前記ＬＮＧ運搬船のミドシップマニホルドの近くに移動させる工程と、ｂ）前記ユニットを、前記ＬＮＧ運搬船の船首と船尾との少なくとも一方の係留索のウインチに接続される少なくとも１つのケーブルに接続して、水位よりも上の所定の高さまで前記ユニットを持ち上げる工程と、ｃ）前記ＬＮＧ運搬船の固定点に接続された係留鎖に前記ユニットを懸吊することによって、持ち上げられた前記ユニットを固定する工程と、ｄ）可撓性のジャンパホースを介して、前記ユニットへの前記ホースの端部と前記マニホルドとの間の流体接続を形成する工程とを具備する方法。
［２８］前記ユニットの垂直位置決めが、マニホルドクレーンによって果される［２６］の方法。
［２９］前記ユニットの垂直位置決めが、独立リフティング手段によって果される［２６］の方法。
［３０］ガイド手段が、前記多機能ユニットの持ち上げのために設けられている［２６］の方法。
［３１］浮遊式多機能ユニットが前記ＬＮＧ運搬船の一方の側部でミドシップマニホルドに接続された後、ガスリターンホース、又はホースが設けられた第２の多機能ユニットが、前記ＬＮＧ運搬船の他方の側部で前記ミドシップマニホルドに接続される［２６］又は［２７］の方法。
［３２］積出しの形態で配置された、ＬＮＧプロセス船舶とＬＮＧ運搬船との間の極低温流体の移送のための炭化水素移送構成体を冷却するための方法であって、少なくとも１つの極低温移送ホースと、ガスリターンホースとを具備し、両ホースの端部が、前記プロセス船舶と前記ＬＮＧ運搬船との間の前記移送ホースの運搬を果す浮遊式多機能ユニットに接続され、前記多機能ユニットのところで、前記２つのホースの端部が、閉ループを形成するように、互いに一時的に連結されて、前記移送ホースが、互いに連結された前記ホース内の冷却流体をポンピングすることによって冷却される方法。
［３３］タンデム形態で配置された、ＬＮＧプロセス船舶とＬＮＧ運搬船との間の極低温流体のための炭化水素移送構成体を冷却するための方法であって、少なくとも１つの極低温移送ホースと、ガスリターンホースとを具備し、前記極低温移送ホースの端部が、前記プロセス船舶と前記ＬＮＧ運搬船との間の前記移送ホースの運搬を果す浮遊式多機能ユニットに接続され、前記多機能ユニットのところで、２つの極低温移送ホースが、閉ループを形成するように、互いに一時的に連結されて、両ホースが、互いに連結された前記ホース内の冷却流体をポンピングすることによって同時に冷却される方法。
［３４］前記ＬＮＧ運搬船の一方の側部で前記マニホルドに接続される２つの移送ホースは、ＬＮＧの移送のためのホースであり、また、前記ＬＮＧ運搬船の他方の側部で前記マニホルドに接続される１つのホースは、ガスリターンホースである前記全てのいずれか１の流体移送構成体。
【図１ａ】
0005726743.tif 000002
【図１ｂ】
0005726743.tif 000003
【図１ｃ】
0005726743.tif 000004
【図２ａ】
0005726743.tif 000005
【図２ｂ】
0005726743.tif 000006
【図２ｃ】
0005726743.tif 000007
【図３ａ】
0005726743.tif 000008
【図３ｂ】
0005726743.tif 000009
【図３ｃ】
0005726743.tif 000010
【図３ｄ】
0005726743.tif 000011
【図３ｅ】
0005726743.tif 000012
【図３ｆ】
0005726743.tif 000013
【図３ｇ】
0005726743.tif 000014
【図３ｈ】
0005726743.tif 000015
【図３ｉ】
0005726743.tif 000016
【図３ｊ】
0005726743.tif 000017
【図３ｋ】
0005726743.tif 000018
【図４】
0005726743.tif 000019
【図５ａ】
0005726743.tif 000020
【図５ｂ】
0005726743.tif 000021
【図５ｃ】
0005726743.tif 000022
【図６ａ】
0005726743.tif 000023
【図６ｂ】
0005726743.tif 000024
【図６ｃ】
0005726743.tif 000025
【図６ｄ】
0005726743.tif 000026
【図６ｅ】
0005726743.tif 000027
【図７ａ】
0005726743.tif 000028
【図７ｂ】
0005726743.tif 000029